(57)【特許請求の範囲】
【請求項１】
底壁(1)の周囲に側壁(2)及び端壁(3)が起立するように連設され、側壁(2)に額縁部(4)を介して内側板(5)が下向きに連設され、端壁(3)の側端に連設された折曲片(6)が側壁(2)と内側板(5)の間に挟み込まれ、端壁(3)の上端に連設された桟板(7)が内方向へ折り曲げられ、桟板(7)の側端から延びる差込片(8)が額縁部(4)に形成された保形穴(9)に差し込まれてなるトレーにおいて、
前記端壁(3)の稜部から折曲片(6)へかけて、差込片(8)を差し込み可能な連結穴(10)が形成され、連結穴(10)は、差込片(8)より大きく折曲片(6)で開口するものとされ、
上下に積み重ねた使用態様では、下段側の桟板(7)が起こされ、その差込片(8)が下段側の保形穴(9)ではなく上段側の連結穴(10)に側方から差し込まれて、折曲片(6)と面一となるように側壁(2)と内側板(5)の間に挿入され、下段側の差込片(8)の下方となる端縁が上段側の折曲片(6)の連結穴(10)の下方となる端縁上に載るように当接した状態で、上下段連結されることを特徴とするトレー。
【発明の詳細な説明】
【技術分野】
【０００１】
この発明は、上下に積み重ねて連結できる厚紙製トレーに関するものである。
【背景技術】
【０００２】
例えば、下記特許文献１には、図９に示すようなトレーが記載されている。このトレーは、底壁５１の周囲に各一対の側壁５２及び端壁５３を角部を挟んで連設し、側壁５２に額縁部５４を介して内側板５５を連設したものである。
【０００３】
そして、内側板５５の側端から延びる折曲片５６を端壁５３の内面に沿わせ、端壁５３の上端に連設した桟板５７を内方向へ折り曲げ、桟板５７の両側端から延びる差込片５８を、額縁部５４に形成した保形穴５９に差し込んで保形される。
【０００４】
また、このトレーには、底壁５１の端壁５３に臨む部分を切り込んで、頭部がテーパー状に幅広くなり、基部が括れた連結片６０が形成され、桟板５７の稜部から端壁５３へかけて、連結片６０の頭部に対応する連結穴６１が形成されている。
【０００５】
このようなトレーを、上下に積み重ねる際には、上段側の底壁５１から連結片６０を下方へ突出させ、下段側の連結穴６１に差し込んで、上下段のトレーを連結し、積ずれによる荷崩れを防止する。
【０００６】
なお、このトレーでは、内側板５５の側端から延びる折曲片５６を端壁５３の内面に沿わせているが、端壁５３の側端から延びる折曲片を、側壁５２と内側板５５の間に挟み込むトレーも一般的である。
【先行技術文献】
【特許文献】
【０００７】
【特許文献１】実開昭５２−１４７６２５号公報
【発明の概要】
【発明が解決しようとする課題】
【０００８】
しかしながら、上記のようなトレーでは、上下に積み重ねて連結したとき、上段側の底壁５１に連結片６０の抜出穴が生じるので、収納する物品が細かいものである場合、この抜出穴から物品が落ちるおそれがある。
【０００９】
また、下段側の端壁５３寄りに収納した物品に、上段側の連結片６０が当たって、物品が損傷するおそれもある。
【００１０】
また、運搬に際し、上段側に手を掛けて持ち上げると、上段側の連結片６０が下段側の連結穴６１から抜けて、上下段が分離し、下段側を持ち上げられないことがある。
【００１１】
そこで、この発明は、物品収納空間への突出や底壁の穴を生じることなく、上下に積み重ねて、確実に連結できるようにすることを課題とする。
【課題を解決するための手段】
【００１２】
上記課題を解決するため、この発明は、底壁の周囲に側壁及び端壁を角部を挟んで連設し、側壁に額縁部を介して内側板を連設し、端壁の側端に連設した折曲片を側壁と内側板の間に挟み込み、端壁の上端に連設した桟板を内方向へ折り曲げ、桟板の側端から延びる差込片を額縁部に形成した保形穴に差し込むトレーにおいて、前記端壁の稜部から折曲片へかけて、差込片を差し込み可能な連結穴を形成し、上下に積み重ねる際、下段側の桟板を起立させて、その差込片を保形穴ではなく上段側の連結穴に差し込むことにより、上下段連結可能としたのである。
【発明の効果】
【００１３】
この発明に係るトレーでは、上下に積み重ねて連結する際、下段側の桟板を起こして利用するので、底壁に穴が生じることがなく、物品の落下が防止されるほか、この桟板の差込片を、上段側の連結穴を介して側壁と内側板の間に挿入するため、差込片が物品に当たることもなく、物品の損傷が防止される。
【００１４】
また、上段側が下段側の桟板で抱持されて、積ずれが確実に防止され、下段側の差込片が上段側の連結穴の端縁に垂直方向に係合するため、上段側に手を掛けて、上下段を一体として持ち上げることもできる。
【図面の簡単な説明】
【００１５】
【図１】この発明の第１実施形態に係るトレーの単体の斜視図
【図２】同上の上下段連結状態を示す斜視図
【図３】同上のトレーの本体のブランクを示す図
【図４】同上の仕切のブランクを示す図
【図５】同上の組立過程を示す斜視図
【図６】この発明の第２実施形態に係るトレーの単体の斜視図
【図７】同上の上下段連結状態を示す斜視図
【図８】同上のトレーのブランクを示す図
【図９】従来のトレーの上下段連結過程を示す斜視図
【発明を実施するための形態】
【００１６】
まず、この発明の第１実施形態を図１乃至図５に基づいて説明する。
【００１７】
このトレーは、物品の仕分けに使用する棚であり、図１に示すように、本体として底壁１の周囲に前後の側壁２及び両端の端壁３を連設し、その内部に仕切２０を設け、前側の側壁２を後側の側壁２よりも低くして、端壁３の前縁を側壁２から上方へかけて斜めに後退させ、図２に示すように、上下に積み重ねて連結できるようにしたものである。
【００１８】
図３に示すように、このトレーの本体を形成する段ボールのブランクでは、長方形の底壁１の一方の長辺に後側となる側壁２が、他方の長辺に前側となる側壁２がそれぞれ連設され、両方の短辺に端壁３が連設されている。
【００１９】
側壁２の頂部には、額縁部４を介して内側板５が連設され、額縁部４及び内側板５は、細い隙間をあけて４分割されている。この中央の隙間の幅は、段ボール２枚の厚さに相当し、両側の隙間の幅は、段ボール１枚の厚さに相当する。各内側板５の先端には、係止突起５ａが設けられ、底壁１には、側壁２との境界に沿って係止穴１ａが設けられている。
【００２０】
端壁３には、前後に折曲片６が連設され、これらの折曲片６は、後側及び前側の側壁２に対応する高さとなっている。端壁３の頂部には、後側へかけて幅広くなる三角形状の桟板７が連設され、その後端に扇形状の差込片８が連設されている。
【００２１】
後側の両端に位置する額縁部４には、差込片８の端面に対応するスリット状の保形穴９が形成され、後側の折曲片６は、保形穴９に差し込んだ差込片８の干渉を回避するため、切欠かれている。そして、端壁３の稜部から後側の折曲片６へかけて、連結穴１０が形成され、この連結穴１０は、相似する形状の差込片８より一回り大きくなっている。
【００２２】
また、図４に示すように、仕切２０を形成する段ボールのブランクでは、一対の仕切板２１が頂部の折目線２１ａを介して連設されると共に、仕切板２１の前側にも埋挟板２２を介して仕切板２１が連設され、仕切板２１の後側に埋挟板２３が連設されている。
【００２３】
仕切板２１は、端壁３と同様の形状とされ、埋挟板２２，２３は、それぞれ前後の側壁２に対応する高さとされている。折目線２１ａは、１８０°の折曲を可能とするため、段ボールを厚さ方向の途中まで切り込んだ半切線とされている。
【００２４】
このようなブランクからトレーを組み立てるには、図５に示すように、底壁１から両端の端壁３を起立させつつ、各折曲片６を内側へ折り曲げて、前後の側壁２を起立させる方向へ折り曲げる。
【００２５】
また、仕切２０において、中央の仕切板２１を折目線２１ａに沿って折り重ね、中央及び両側の仕切板２１と埋挟板２２，２３とが枠体を形成するように順次折り曲げる。
【００２６】
そして、図１に示すように、仕切２０を底壁１に載せ、前後の側壁２から額縁部４及び内側板５を順次内側へ折り曲げて、折曲片６及び埋挟板２２，２３を前後の側壁２と内側板５の間に挟み込み、仕切板２１を隣り合う額縁部４及び内側板５の隙間から突出させた状態で、係止突起５ａを係止穴１ａに係合させる。
【００２７】
この状態でも、トレーの組立形状は維持されるが、トレーを単体で使用する場合には、桟板７を内方向へ折り曲げ、差込片８を保形穴９に差し込むことにより、側壁２と端壁３のなす角度を直角に保持して、堅固な構造とする。
【００２８】
一方、図２に示すように、このトレーを上下に積み重ねて使用する場合には、下段側の端壁３から桟板７を起立させて、上段側の端壁３の外面に沿わせ、その桟板７の差込片８を上段側の連結穴１０に差し込むことにより、上下段のトレーを連結する。
【００２９】
上記のようなトレーでは、上下に積み重ねて連結する際、下段側の桟板７を起こして利用するので、底壁１に穴が生じることがなく、収納した物品の落下が防止されるほか、この桟板７の差込片８を、上段側の連結穴１０を介して側壁２と内側板５の間に挿入するため、差込片８が物品に当たることもなく、物品の損傷が防止される。
【００３０】
また、上段側が下段側の桟板７で抱持されて、積ずれが確実に防止され、下段側の差込片８が上段側の連結穴１０の端縁に垂直方向に係合するため、上段側に手を掛けて持ち上げようとしても、上下段が分離することがなく、連結状態が確実に維持され、上下段を一体として持ち上げることができる。
【００３１】
なお、このトレーは、積み重ねた状態で、下段側の仕切２０により上段側を支持しており、各段のトレーの前面側が開放されているため、店頭における商品の陳列棚として使用することもできる。
【００３２】
次に、この発明の第２実施形態を図６乃至図８に基づいて説明する。なお、ここでは、上記第１実施形態の各部に対応する部分に同一の符号を付し、詳説を省略する。
【００３３】
このトレーは、農産物等の物品の運搬に使用するものであり、図６に示すように、底壁１の周囲に高さが同じ各一対の側壁２及び端壁３を連設し、図７に示すように、上下に積み重ねて連結できるようにしたものである。
【００３４】
図８に示すように、このトレーの本体を形成する段ボールのブランクでは、端壁３と同一幅の長方形とされた桟板７の両側端に差込片８が連設され、端壁３の両側端に、連結穴１０を有する折曲片６が連設されている。
【００３５】
このようなトレーを単体で使用する場合には、図６に示すように、内方向へ折り曲げた桟板７の両側の差込片８を保形穴９に差し込むことにより、側壁２と端壁３のなす角度を直角に保持して、堅固な構造とする。
【００３６】
一方、図７に示すように、このトレーを上下に積み重ねる場合には、下段側の差込片８を保形穴９から抜き、下段側の端壁３から桟板７を起立させて、上段側を下段側の額縁部４に載せ、上段側の端壁３の外面に沿わせ、その桟板７の両側の差込片８を上段側の連結穴１０に差し込むことにより、上下段のトレーを連結する。
【００３７】
上記のようなトレーでも、上下に積み重ねて連結する際、下段側の桟板７を起こして利用するので、底壁１に穴が生じることがなく、収納した物品の落下が防止されるほか、この桟板７の差込片８を、上段側の連結穴１０を介して側壁２と内側板５の間に挿入するため、差込片８が物品に当たることもなく、物品の損傷が防止される。
【００３８】
また、上段側が下段側の桟板７で抱持されて、積ずれが確実に防止され、下段側の差込片８が上段側の連結穴１０の端縁に垂直方向に係合するため、上段側に手を掛けて持ち上げようとしても、上下段が分離することがなく、連結状態が確実に維持され、上下段を一体として持ち上げることができる。
【００３９】
なお、図２及び図７では、２個のトレーを積み重ねる場合を例示したが、３個以上のトレーを積み重ねる場合には、最下段から最上段より一段下までのトレーの桟板７を起立させて、その桟板７の差込片８を直上のトレーの連結穴１０に差し込み、最上段のトレーの桟板７を内方向へ折り曲げ、その差込片８を保形穴９に差し込んでおくと、安定した積上状態とすることができる。
【符号の説明】
【００４０】
１  底壁
１ａ  係止穴
２  側壁
３  端壁
４  額縁部
５  内側板
５ａ  係止突起
６  折曲片
７  桟板
８  差込片
９  保形穴
１０  連結穴
２０  仕切
２１  仕切板
２１ａ  折目線
２２，２３  埋挟板
【図１】
0005840977.tif 000002
【図２】
0005840977.tif 000003
【図３】
0005840977.tif 000004
【図４】
0005840977.tif 000005
【図５】
0005840977.tif 000006
【図６】
0005840977.tif 000007
【図７】
0005840977.tif 000008
【図８】
0005840977.tif 000009
【図９】
0005840977.tif 000010